(57)【要約】【課題】特別な機構を設けなくてもＤＶＤ光の折り曲げ（反射）回数を少なくして、収差が低減され、記録再生性能が向上した光ピックアップ装置を提供すること。【解決手段】光ピックアップ１０において、第１のレーザー光と第２のレーザー光の放射方向が互いに平行になるように第１及び第２の半導体レーザー２，３を配置した。また、第１のレーザー光と第２のレーザー光とが互いに交差する方向に第１のビームスプリッタ５に入射するように、前記第１及び第２のレーザー光の内の一方を反射するミラー７を、当該一方のレーザー光の前記第１のビームスプリッタ５に至るまでの光路中に設けた。【選択図】　　　図１
2004079137.tif 000002
【特許請求の範囲】
【請求項１】
第１及び第２の半導体レーザーからの互いに異なる波長の第１及び第２のレーザー光を第１のビームスプリッタを介して光ディスクの記録面に夫々導き、その戻り光を夫々前記第１のビームスプリッタを介して一つの光検出器に導いて検出する光ピックアップにおいて、前記第１及び第２の半導体レーザーを各々独立した平面内に配置するとともに、前記第１のレーザー光と前記第２のレーザー光とを同一方向に導く前記第１のビームスプリッタを、前記第１及び第２のレーザー光の内の一方を反射するミラーと対物レンズに至るまでの光路中に設けたことを特徴とする光ピックアップ。
【請求項２】
請求項１記載の光ピックアップにおいて、前記第１及び第２のレーザー光の内の他方の前記第１のビームスプリッタに至る光路中に第２のビームスプリッタを設け、前記戻り光が前記第１のビームスプリッタから第２のビームスプリッタによって前記他方のレーザー光の第２のビームスプリッタへの入射方向とは交差する方向に進行して、前記光検出器に入射するように構成したことを特徴とする光ピックアップ。
【請求項３】
請求項１記載の光ピックアップにおいて、前記一方のレーザー光を放射する一方の半導体レーザーと、前記立ち上げミラーとの間の光路中及び前記他方のレーザー光を放射する他方の半導体レーザーと、前記第２のビームスプリッタとの間の光路中に夫々のレーザー光に対応する回折格子を夫々設けたことを特徴とする光ピックアップ。
【発明の詳細な説明】
【０００１】
【発明の属する技術分野】
本発明は、光ピックアップに関し、詳しくは、ＣＤ及びＤＶＤの２波長に対応した光ピックアップ装置に関する。
【０００２】
【従来の技術】
従来、ＣＤ−Ｒ、ＣＤ−ＲＷの記録再生，ＤＶＤ−ＲＡＭ，ＤＶＤ−Ｒ，ＤＶＤ−ＲＷ，ＤＶＤ＋Ｒ，ＤＶＤ＋ＲＷの記録再生などの記録系ＤＶＤメディアの記録再生が可能であるＣＤ及びＤＶＤの２波長に対応した光ピックアップが知られている。
【０００３】
図３は従来技術によるＣＤ用の７８０ｎｍ，ＤＶＤ用の６５０ｎｍの２波長に対応した光ピックアップを示す平面図である。図４に示すように、従来の光ピックアップは、ＣＤ用の７８０ｎｍ，ＤＶＤ用の６５０ｎｍの２波長に対応した半導体レーザー（以下、それぞれＣＤ用レーザー、ＤＶＤ用レーザーと呼ぶ）２，３を備えている。
【０００４】
ＣＤ用レーザー２からの光（以下、ＣＤ光と呼ぶ）は、ＣＤ用回折格子４を通り、第１のビームスプリッタ（ＢＳ１）５、コリメートレンズ６を透過して、立ち上げミラー７によって９０°方向転換されて、１／４波長板（１／４λ；ＱＷＰ）８を通り、対物レンズ９によって、図示しないＣＤ記録媒体の情報記録部に焦点が合わされる。
【０００５】
一方、ＤＶＤ用レーザー３からの光（以下、ＤＶＤ光と呼ぶ）は、ＤＶＤ用回折格子１１を通り、第２のビームスプリッタ（ＢＳ２）１２を透過して、第１のビームスプリッタ５で全反射されて、コリメートレンズ６を透過して、立ち上げミラー７によって９０°方向転換されて、１／４波長板（ＱＷＰ）８を通り、対物レンズ９によって、図示しないＤＶＤ記録媒体の情報記録部に焦点が合わされる。
【０００６】
情報記録媒体からのＣＤ及びＤＶＤの戻り光のいずれも、対物レンズ９から、ＱＷＰ８を透過し、立ち上げミラー７によって９０°方向転換され、コリメートレンズ６を通り、第１のビームスプリッタ５に入射する。ここで、ビームスプリッタ記録媒体との間には、１／４波長板が配置されているために、往復して通過すると、その偏波面が９０°回転することになるので、第１のビームスプリッタ５に入射して、全反射されて、第２のビームスプリッタ１２に入射する。ここで、第２のビームスプリッタ１２においても全反射されて、センサレンズ１３を介して、光検出器（ＰＤＩＣ）１４に入射する。
【０００７】
【発明が解決しようとする課題】
前述した従来技術による光ピックアップでは、ＣＤ光は、光路を１回９０°折り曲げられ、ＤＶＤ光は２回折り曲げられる。このように、光ピックアップにおいては、光路を何回も折り曲げられる（反射する）と、特性劣化の原因になる。
【０００８】
その理由は、光を反射させる光学部品の取り付け角度ズレをθとすると、光路は２θ角度ずれを生じ、設計値よりも２θ斜めの光が光学部品に入射することで収差が発生する。また、光学部品表面の面精度に起因する収差も同様の原因で悪化するからである。
【０００９】
そこで、本発明の技術的課題は、特別な機構を設けなくてもＤＶＤ光の折り曲げ（反射）回数を少なくして、収差が低減され、記録再生性能が向上した光ピックアップ装置を提供することにある。
【００１０】
【課題を解決するための手段】
本発明によれば、第１及び第２の半導体レーザーからの互いに異なる波長の第１及び第２のレーザー光を第１のビームスプリッタを介して光ディスクの記録面に夫々導き、その戻り光を夫々前記第１のビームスプリッタを介して一つの光検出器に導いて検出する光ピックアップにおいて、前記第１及び第２の半導体レーザーを各々独立した平面内に配置するとともに、前記第１のレーザー光と前記第２のレーザー光とを同一方向に導く前記第１のビームスプリッタを、前記第１及び第２のレーザー光の内の一方を反射するミラーと対物レンズに至るまでの光路中に設けたことを特徴とする光ピックアップが得られる。
【００１１】
また、本発明によれば、前記光ピックアップにおいて、前記第１及び第２のレーザー光の内の他方の前記第１のビームスプリッタに至る光路中に第２のビームスプリッタを設け、前記戻り光が前記第１のビームスプリッタから第２のビームスプリッタによって前記他方のレーザー光の第２のビームスプリッタへの入射方向とは交差する方向に進行して、前記光検出器に入射するように構成したことを特徴とする光ピックアップが得られる。
【００１２】
さらに、本発明によれば、前記光ピックアップにおいて、前記一方のレーザー光を放射する一方の半導体レーザーと、前記立ち上げミラーとの間の光路中及び前記他方のレーザー光を放射する他方の半導体レーザーと、前記第２のビームスプリッタとの間の光路中に夫々のレーザー光に対応する回折格子を夫々設けたことを特徴とする光ピックアップが得られる。
【００１３】
【発明の実施の形態】
以下、本発明の実施の形態について図面を参照しながら説明する。図１は本発明の実施の形態による光ピックアップの平面図、図２は図１の光ピックアップの正面概略図である。
【００１４】
図１及び図２に示すように、本発明の実施の形態による光ピックアップ１０は、性能悪化につながる光路の折り曲げをＣＤ光、ＤＶＤ光ともに最低限度に抑えるために、ＣＤ光と、ＤＶＤ光とを合成する第１のビームスプリッタ（ＢＳ１）５を対物レンズと立ち上げミラー７間に配置している。
【００１５】
具体的には、ＣＤ用の７８０ｎｍ，ＤＶＤ用の６５０ｎｍの２波長に対応した半導体レーザー（以下、それぞれＣＤ用レーザー、ＤＶＤ用レーザーと呼ぶ）２，３を備えている。
【００１６】
ＣＤ用レーザー２は図２に示されるように、光ディスク２１と略平行な平面上に配置されており、光ディスク２１と略平行にレーザー出射されている。ＤＶＤ用レーザー３もＣＤ用レーザー３と同様に光ディスク２１と略平行な平面上に配置されているが、ＤＶＤ用レーザー３の配置される平面はＣＤ用レーザー２の配置される平面よりも光ディスク２１に近接しており、ＣＤ用レーザー２とＤＶＤ用レーザー３は、図２の上下方向において離間され各々が独立した平面上に配置されている。
【００１７】
ＣＤ用レーザー２からの光（以下、ＣＤ光と呼ぶ）は、光路３１で示すように、ＣＤ用回折格子４を通り、立ち上げミラー７によって９０°方向転換されて、第１のビームスプリッタ（ＢＳ１）５に入る。ここで、光路３４に示されるように、第１のビームスプリッタ（ＢＳ１）５を透過し、コリメートレンズ６を透過して、１／４波長板（ＱＷＰ）８を通り、対物レンズ９によって、ＣＤ記録媒体等の光ディスク２１の情報記録部に焦点が合わされる。
【００１８】
一方、ＤＶＤ用レーザー３からの光（以下、ＤＶＤ光と呼ぶ）は、光路３５に示すように、ＤＶＤ用回折格子１１を通り、光路３４に示すように、第２のビームスプリッタ（ＢＳ２）１２を透過して、第１のビームスプリッタ５に入る。ここで、第１のビームスプリッタ５で全反射されて、光路３３に示されるように、コリメートレンズ６を透過して、１／４波長板（ＱＷＰ）８を通り、対物レンズ９によって、ＤＶＤ記録媒体等の光ディスク２１の情報記録部に焦点が合わされる。
【００１９】
情報記録媒体からのＣＤ及びＤＶＤの戻り光のいずれも、対物レンズ９から、ＱＷＰ８を透過し、コリメートレンズ６を通り、第１のビームスプリッタ５に入射する。ここで、第１のビームスプリッタ５と光ディスク２１との間には、１／４波長板８が配置されているために、往復して通過すると、その偏波面が９０°回転することになるので、第１のビームスプリッタ５に入射して、全反射されて、第２のビームスプリッタ１２に入射する。ここで、第２のビームスプリッタ１２においても全反射されて、センサレンズ１３を介して、光検出器（ＰＤＩＣ）１４に入射する。
【００２０】
【発明の効果】
以上説明したように、本発明によれば、ＣＤ光の折り曲げ回数は従来と同じであるが、ＤＶＤ光の折り曲げ回数が１回となり、従来の半分で済むため、従来よりも収差が低減され、記録再生性能が向上する光ピックアップを提供することができる。
【００２１】
また、本発明によれば、ＤＶＤのような微小スポットで記録再生を行う場合、このような収差悪化を抑制する手法は有用である。
【図面の簡単な説明】
【図１】本発明の実施の形態による光ピックアップの平面図である。
【図２】図１の光ピックアップの正面概略図である。
【図３】従来技術によるＣＤ用の７８０ｎｍ，ＤＶＤ用の６５０ｎｍの２波長に対応した光ピックアップを示す平面図である。
【符号の説明】
１，１２　　第２のビームスプリッタ（ＢＳ２）
２　　第１の半導体レーザー（ＣＤ用レーザー）
３　　第２の半導体レーザー（ＤＶＤ用レーザー）
４　　ＣＤ用回折格子
５　　第１のビームスプリッタ（ＢＳ１）
６　　コリメートレンズ
７　　立ち上げミラー
８　　１／４波長板（ＱＷＰ）
９　　対物レンズ
１０，５０　　光ピックアップ
１３　　センサレンズ
１４　　光検出器（フォトディテクタ、ＰＤＩＣ）
２１　　光ディスク
３３，３４，３５　　光路
【図１】
2004079137.tif 000003
【図２】
2004079137.tif 000004
【図３】
2004079137.tif 000005